(57)【要約】【課題】支柱に昇降枠を介して装備した袋載せ台の向きが下降限では正面向きで、上昇途中や上昇限においては正面を含めた左右何れか一方向に向きが変わるように、また、計量された後の穀類収納袋の開口部を閉じる際に同開口部を自然体に近い姿勢で閉じることができる作業台を備えた使用上の安全性と取扱い性を更に高めた昇降作業機を提供する。【解決手段】台枠1-1から立設させた支柱1-2に昇降枠３を介して昇降動自在に装着される袋載せ台２を、昇降枠３に対して左右方向へ首振り回動自在に支持させ、昇降枠３の昇降動に伴う方向変換機構16の常時連絡関係を保つ下降限レール16-1、切換えレール16-2、上昇誘導レール16-3による切換え誘導によって、袋載せ台２の向きが、少なくとも下降限においては正面向きと成し、上昇限においては左右何れか一方向の向きと成すように構成した。【選択図】図１
2005187181.tif 000002
【特許請求の範囲】
【請求項１】
台枠から立設させた支柱に、昇降枠を介して袋載せ台が昇降動自在に装着され、前記台枠上には前記昇降枠を昇降動させる駆動機が設置され、この駆動機の駆動により昇降枠を介して袋載せ台が上昇・降下するようになした昇降作業機であって、
前記袋載せ台は、昇降枠に対して左右方向へ首振り回動自在に支持され、少なくとも下降限においては正面向きと成し、上昇停止位置においては左右何れか一方向の向きと成すように袋載せ台の向きを切り換える方向変換機構が備えられていることを特徴とする昇降作業機。
【請求項２】
請求項１記載の方向変換機構は、支柱の高さ方向に備えられる切換え手段と、この切換え手段と袋載せ台とを連繋する連繋手段とで構成され、
切換え手段は、袋載せ台の昇降下降限となる支柱の下部側においてその前後幅方向中央に垂直に配設される下降限レールと、
この下降限レールの上端開口に下端開口が常時連絡するように同下端側を支柱に軸着せしめると共に、同軸着部を回動支点として上端開口側が支柱の前後幅方向に回動するように配設される切換えレールと、
この切換えレールの上端開口に下端開口を回動自在に連絡枢着せしめると共に、袋載せ台の昇降上昇限となる支柱の上部側に向けた長さで該支柱の前後幅方向における中央部位及びその前後部位へと略平行動自在に配設されて袋載せ台の向きを正面向き又は左右いずれかの方向に向ける上昇誘導レールとで構成され、
連繋手段は、上記下降限レール、切換えレール、上昇誘導レールの各レールに沿って昇降枠の昇降動に伴い転動する誘導輪と、
上記昇降枠に前後水平動自在に装着されて後端側に前記誘導輪を備えると共に、前端側が袋載せ台の回動部側方部位に連結させる連結杆とで構成され、
上記昇降枠が下降限から上昇するに際して、その上昇に伴い誘導輪が下降限レールから切換えレールを通り、この切換えレールから上昇誘導レールに沿って転動する動きにより、袋載せ台の向きが正面又は左右の何れか一方向の向きに切り換えられるように構成されてなることを特徴とする昇降作業機。
【請求項３】
請求項１又は２記載の袋載せ台に、袋を載せる又は袋を降ろすことにより、駆動機を作動させるための検出器が備えられていることを特徴とする昇降作業機。
【請求項４】
請求項１〜３何れか１項に記載の昇降作業機において、
穀類が詰め込まれた穀類収納袋の開口部を閉じる際に該収納袋を載せる作業台が台枠の側方に着脱自在に備えられてなることを特徴とする昇降作業機。
【発明の詳細な説明】
【技術分野】
【０００１】
本発明は、例えば米や麦等の穀類を計量しながら袋詰めした後に穀類収納袋の開口部を閉じたり、該収納袋を抱き抱えて持ち運ぶ際にその高さまで持ち上げたり、また、同穀類収納袋を、倉庫等に保管する際に該穀類収納袋を保管高さまで持ち上げたり、或いはトラック等の車輌荷台への積み降ろしを行なう際には穀類収納袋を持ち上げたり、同荷台から降ろす等の荷物等の上げ下げに利用される昇降作業機に関する。
【背景技術】
【０００２】
従来、脚から立設させた平面視略コの字型を呈する左右の側枠内を転動させる車輪が両端に備えられている支持杆に背面板を固着支持させることで、該背面板と載部とから側面略Ｌ字形の荷物載せ台を前記側枠の前面に上下動可能に備え、この荷物載せ台に一端側が止着されたワイヤロープを、前記側枠の上枠に備えた滑車から側枠の背面下部側に設置させている巻取り装置に亘り架け渡し、同ワイヤロープの他端側を該装置ドラムに止着させることで、荷物載せ台に載せられた荷物を巻上げ装置の駆動により上げ下げできるように構成された昇降作業機が知られている（例えば、特許文献１参照）。
【０００３】
ところで、米や麦等の穀類は、籾摺りされた後に図に例示したように、計量器により例えば30Kgに計量されて穀類収納袋に袋詰めされてそのままトラック等の車輌荷台に積み込まれて農協等に出荷される場合と、穀類収納袋を一旦倉庫等に保管しておいて農協等に出荷する時に保管倉庫等から運び出して車両荷台に積み込む場合があり、この様な場合には図７に例示したように、車輌荷台の後方や側方に接近させて作業機を準備し、穀類収納袋が保管されている倉庫内から作業機に至る一連のコンベヤを地面に敷設し、このコンベアにより順次に搬出移送されてくる収納袋を、下降限で待機する荷物載せ台に載せ変えながら行なわれる。
そして、荷物載せ台により荷台の高さ又は荷台上方まで持ち上げられてきた穀類収納袋は作業者によって荷台へと積み込まれるものである。
【０００４】
しかし乍ら、従来作業機の荷物載せ台は、両側枠内を昇降動に伴い転動する車輪を両側に軸支してなる支持枠に固着により支持された固定構造であることから、支持枠に対する荷物載せ台の支持状態は両側枠と平行とする正面向きである。
従って、車輌等の荷台に穀類収納袋を積み込む場合、荷台上方へ上昇されてきた荷物載せ台と荷台との間は大きく開いており、そのために、荷物載せ台に載せられて持ち上げられてきた穀類収納袋を降ろす作業者は荷台の縁に片足を掛ける等の危険な状態で重量のある穀類収納袋を抱き抱えるように持ち上げて荷台へと積み込む作業を行なわなければならなかった。
【０００５】
【特許文献１】実開昭５２−１５６０６５号
【発明の開示】
【発明が解決しようとする課題】
【０００６】
本発明が解決しようとする課題は、台枠から立設する支柱に昇降枠を介して穀類収納袋を載せる袋載せ台を昇降動自在に装備し、昇降枠を昇降動させる駆動機を台枠に設置してなる昇降作業機であって、袋載せ台の向きが下降限では正面向きで、上昇時や上昇停止位置においては正面を含めた左右何れか一方向の向きに変わるように改良を加えて使用上の安全性と取扱い性を更に高めた昇降作業機を提供することにある。
また、他の目的としては計量器により計量されて穀類が詰め込まれた穀類収納袋の開口部を閉じる際には穀類収納袋を計量器から移し替えることで同開口部を自然体に近い姿勢で閉じることができる高さの作業台を備えた昇降作業機を提供することにある。
【課題を解決するための手段】
【０００７】
上記課題を解決するために本発明は以下の技術的手段を採用する。
台枠から立設させた支柱に、昇降枠を介して袋載せ台が昇降動自在に装着され、前記台枠上には前記昇降枠を昇降動させる駆動機が設置され、この駆動機の駆動により昇降枠を介して袋載せ台が上昇・降下するようになした昇降作業機であって、
前記袋載せ台は、昇降枠に対して左右方向へ首振り回動自在に支持され、少なくとも下降限においては正面向きと成し、上昇停止位置においては左右何れか一方向の向きと成すように袋載せ台の向きを切り換える方向変換機構が備えられているものである（請求項１）。
【０００８】
上記方向変換機構としては特に限定されるものではないが、その一具体例としては、支柱の高さ方向に備えられる切換え手段と、この切換え手段と袋載せ台とを連繋する連繋手段とで構成され、
切換え手段は、袋載せ台の昇降下降限となる支柱の下部側においてその前後幅方向中央に垂直に配設される下降限レールと、この下降限レールの上端開口に下端開口が常時連絡するように同下端側を支柱に軸着せしめると共に、同軸着部を回動支点として上端開口側が支柱の前後幅方向に移動するように配設される切換えレールと、この切換えレールの上端開口に下端開口を回動自在に連絡枢着せしめると共に、袋載せ台の昇降上昇限となる支柱の上部側に向けた長さで該支柱の前後幅方向における中央部位及びその前後部位へと略平行動自在に配設されて袋載せ台の向きを正面向き又は左右いずれかの方向に向ける上昇誘導レールとで構成され、
連繋手段は、上記下降限レール、切換えレール、上昇誘導レールの各レールに沿って昇降枠の昇降動に伴い転動する誘導輪と、上記昇降枠に前後水平動自在に装着されて後端側に前記誘導輪を備えると共に、前端側が袋載せ台の回動部側方部位に連結させる連結杆とで構成され、
上記昇降枠が下降限から上昇するに際して、その上昇に伴い誘導輪が下降限レールから切換えレールを通り、この切換えレールから上昇誘導レールに沿って転動する動きにより、袋載せ台の向きが正面又は左右の何れか一方向の向きに切り換えられるように構成されているものである（請求項２）。
【０００９】
また、上記袋載せ台に、袋を載せる又は袋を降ろすことにより、駆動機を作動させるための検出器を備えたり（請求項３）、また、穀類を計量しながら袋詰めした後に穀類収納袋の開口部を閉じる際に該収納袋を計量器から載せ変えるための作業台を台枠の側方に着脱自在に備えることが好適なものとなる（請求項４）。
上記検出器としてはリミットスイッチ等が挙げられる。作業台は、穀類収納袋を載せた状態において少なくとも該収納袋の開口部が作業者の腰高に位置する高さにて該収納袋を載承し得る高さに形成されていることが好適なものとなる。
【発明の効果】
【００１０】
本発明の穀類収納袋の昇降作業機は叙上の如く構成してなるから、下記の作用効果を奏する。
駆動機の駆動により上昇・降下する昇降枠に対して左右方向へ首振り回動自在に軸支された袋載せ台は下降限において、方向変換機構の誘導輪が同機構の下降限レールに内在していることで、同下降限においては正面向きと成し、そして、昇降枠が前記下降限から上昇するに際しては、誘導輪が下降限レールから切換えレールを通り、この切換えレールの上端開口に連絡枢着されて該切換えレールの支柱の前後幅方向へ回動操作に連動して同幅方向に略平行移動する昇降誘導レールに沿って転動することにより、袋載せ台が正面・左右の何れか一方向に向きが変換される。例えば、切換えレールをその下端軸着部を支点に支柱の幅方向前側に回動させる切り換えを行うことで、下降限レールに転動輪が存在する下降限では正面向きであった袋載せ台が上昇停止位置においては昇降枠に対する回動軸支部を支点に右方向に回動される右向きに自動変換されるものである。
従って、昇降作業機を用いて、穀類が袋詰された穀類収納袋を例えば車輌等の荷台の積み込む際には、作業機の右側を荷台側に接近させた状態で準備し、正面向きで停止している下降限の袋載せ台に穀類収納袋を載せ、駆動機の動力により昇降枠を上昇させると、袋載せ台の向きは昇降機と荷台との間に生じる大きな隙間Ｌを狭める更には同隙間Ｌを完全塞ぐように荷台上方に掛かる（位置する）右向きと成すことから、作業者は荷台の縁に片足を掛ける等の危険を回避した安全な状態で袋載せ台から穀類収納袋を抱き抱えて荷台に積み込むことができる。故に、作業者に対する安全性と作業性の向上が図られた昇降作業機を提供することができる。
また、袋載せ台の向きを正面向き又は左右いずれかの方向に変える切換え手段を構成する下降限レール、切換えレール、上昇誘導レール、特に切換えレールの上端開口と上昇誘導レールの下端開口とは常時連絡関係にあることで、昇降枠の上昇に伴い切換えレールから上昇誘導レールへと転動しながら移動する転動輪はレールから脱線等の故障を引き起こす恐れは全く無い。
【００１１】
また、袋を載せる又は袋を降ろすことにより駆動機を自動的に作動させる検出器が袋載せ台の載置部に配設されてなることで、作業者は穀類収納袋を袋載せ台に載せる又は袋載せ台から穀類収納袋を降ろす度に次の作業のために駆動機作動用のスイッチ操作を行なう必要がなくなる。これにより、例えば下降限の袋載せ台に穀類収納袋を載せた後に、作業者は穀物が計量されて収納された収納袋の開口部を閉じる等の次の作業を行なうことができることで、作業能率の向上が図り得る。
【００１２】
また、台枠の側方に、穀類が袋詰された穀類収納袋の開口部を閉じる際に載せる作業台を装着し得るように成し、そして、作業台は、穀類収納袋を載せた状態で該収納袋の開口部が作業者の略腰高に位置する高さを有することで、作業者は計量器を用いて穀類の収容量を計量しながら袋詰した後に、穀類収納袋を作業台に移し変えることで、無理な前屈み姿勢を取ることなく、自然体に近い楽な姿勢で穀類が袋詰された穀類収納袋の開口部を閉じる作業を行うことができ、大変便利な昇降作業機を提供することができる。
【発明を実施するための最良の形態】
【００１３】
昇降枠は、支柱の前面中央に全高に亘り立設させたガイド支柱の横断面外周を囲む平面視略矩形状に枠組み形成され、その内部の上下部位にはガイド支柱を前後から挟み込んだ状態でその前後面を転動する転動輪を枢着することにより、袋載せ台を円滑に昇降移動し得るようにする。
【００１４】
また、前記昇降枠に左右方向に首振り回動自在に支持させる袋載せ台は、平面視が略正方形状を呈する水平な載置部と、この載置部の後端縁辺に支柱の横断左右幅よりも狭い間隔にて垂直に対向配設させた両側の垂直杆部とから側面視略Ｌ字状に形成したものとする。
そして、前記両側の垂直幹部を連結支持させるの昇降枠の前面中央部位に支持パイプを垂直に固着すると共に、この支持パイプに貫通状に支持させてる杆部幹部軸着杆部を上端中央部位に垂直に備える両側の垂下杆部に前記垂直杆部の上端をピン止めにより連結支持させることで、当該連結部を支点として袋載せ台が穀類収納袋を載せる水平姿勢から前端側が上方に逃げる前上がり傾動姿勢となるものとする。
【００１５】
また、袋載せ台は、前述の軸止杆部を昇降枠の前面中央部に垂直に固着備えた支持パイプに対して貫通状に軸支連結せしめることで、当該連結部を支点として左右方向へ首振り回動自在とするものとする。
【実施例１】
【００１６】
本発明の実施形態の一例を図面に基づいて説明する。
図中１は機枠、２は米や麦等の穀類が例えば30Kgに計量されて収納（袋詰め）された穀類収納袋Ｂを載せる袋載せ台、３は袋載せ台２を機枠１の後述する支柱1-2に対して昇降動自在に支持する昇降枠、４は昇降枠３を昇降動させる駆動機であり、この駆動機４の動力により昇降枠３を介して袋載せ台２を例えば地上からトラック等の車輌荷台Ｃ高さ、若しくは荷台Ｃ高さよりも高い位置まで上昇させることで、重量のある穀類収納袋Ｂを無理なく車輌荷台Ｃ等に積み込むことができるようにしてある。
【００１７】
また、穀物が計量収納された後に穀類収納袋Ｂの開口部B-1を閉じる際には図11に示すように、穀類収納袋Ｂを計量器Ｄから作業機Ａの機枠１を構成する後述の台枠1-1側方に装着されている作業台５に移し変えることで、無理な前屈み姿勢を取ることなく、該開口部B-1を閉じる作業が行いえるようにしてあり、更に開口部B-1が閉じられた穀類収納袋Ｂを抱き抱えてパレットに積み上げる等の他の場所まで持ち運ぶ際には、夫々の作業を無理な前屈み姿勢を取ることなく行なえる高さまで穀類収納袋Ｂを上昇させることで、それらの作業を自然体に近い楽な姿勢で行ない得るようにしてある。
また、本例では袋載せ台２を昇降枠３に対して左右方向へ首振り回動自在に支持させることで、例えば図12に示すように、穀類収納袋Ｂを車輌荷台Ｃ高さよりも高い位置まで上昇させた後に、穀類収納袋Ｂを抱き抱えて荷台Ｃ上へ積み込むことができるようにしてある。
【００１８】
機枠１は、２本の枠材を平行に配置し、板材を用いて後部側をボルト止等により連結してなる平面視略矩形状の台枠1-1と、この台枠1-1から適宜の高さにて立設させる支柱1-2とで構成される。
【００１９】
支柱1-2は、前面が全高に亘り開口された横断面が略コの字型を枠材からなり、台枠1-1の後側中央部位からボルト止めや溶接等により適宜の高さにて立設させる。また、前面開口における中央部位には横断面が角形のガイド支柱1-20を全高に亘り立設備えて、このガイド支柱1-20に昇降枠３を昇降動可能に装着するようにしてある。
【００２０】
そして、支柱1-2が立設される台枠1-1の側部には駆動機４が設置されており、この駆動機４の出力軸にスプロケット７を、支柱1-1の上端にスプロケット８を夫々備え、次に、昇降枠３の下部に一端側を止着連結せしめたチェーン９をスプロット７、スプロケット８へ亘り架け渡した後に、チェーン９の他端側を昇降枠３の上部に止着連結せしめることで、駆動機４の動力により昇降枠３がガイド支柱1-20に沿って上昇・下降し得るように構成してある。
【００２１】
図中10は、台枠1-1の後端両側に備えた車輪であり、作業機Ａを後方斜めに倒した状態で保管場所等へ楽に移動できるようにしてある。
【００２２】
袋載せ台２は、穀物が袋詰された後に穀類収納袋Ｂの開口部B-1を閉じたり、開口部B-1が閉じられた穀類収納袋Ｂを抱き抱えたてパレットに積み上げたり、肩にかついで他の場所まで持ち運ぶ際に、それらの作業を無理な前屈み姿勢を取ることなく行える高さまで穀類収納袋Ｂを持ち上げり、或いは開口部が閉じられた穀類収納袋Ｂを車輌の荷台Ｄ等に積み込むために持ち上げたり、荷台Ｄから地面まで下ろすための昇降台である。
この袋載せ台２は、板材の周囲を上記台枠1-1の左右枠材の間隔と略同じ一辺幅にて折り曲げ形成されると共に裏面に不図示の補強枠材が付設されてなる平面視が略正方形状を呈する水平な載置部2-1と、この載置部2-1の後端縁辺に前記支柱1-2の横断左右幅よりも狭い間隔にて溶接等により垂直に対向配設させた２本の垂直杆部2-2とから側面視略Ｌ字状に形成されている。
【００２３】
また、載置部2-1には下降限において穀類収納袋Ｂが載せられたり、夫々の上昇停止位置において穀類収納袋Ｂが降ろされることで、駆動機４を作動させるリミットスイッチ等からなる検出器11が備えられており、作業者が載置部2-1に穀類収納袋Ｂを載せたり、載置部2-1から穀類収納袋Ｂを降ろす行為を行うことで、袋載せ台２が自動的に上昇・下降移動されるように形成してある。
【００２４】
上記垂直杆部2-2は、断面コの字型の型材からなり、その断面開口を後方に向けた状態で載置部2-1裏面の補強枠材にボルト止めや溶接等により固着せしめることで前述した間隔にて載置部2-1の後端縁辺に垂直に起立され、その上端を昇降枠４の前面中央に備えられる後述の回動支持部12の垂下杆部12-4にピン13止め等により軸着せしめることで、該垂下杆部12-4に連結支持させるようにしてある。
【００２５】
昇降枠３は、支柱1-2の前面開口の中央部に全高に亘り立設させたガイド支柱1-20の横断面外周を囲む平面視略矩形状に枠組み形成され、その内部の上下部位にはガイド支柱1-20を前後から挟む込んだ状態でその前後面を転動する転動輪14を備えることで、袋載せ台２を円滑に昇降動させるようにしてある。
【００２６】
回動支持部12は、昇降枠３の前面に袋載せ台２を正面向きから左右方向に首振り回動自在に支持する役目を成すもので、昇降枠３の前面中央部位においてその高さ方向全高に亘り溶接等により垂直に取り付けられる支持パイプ12-1と、この支持パイプ12-1に貫通回動自在に連結される回動支軸12-2と、この回動支軸12-2の下端に略逆Ｔ字状に固着される水平杆部12-3と、この水平杆部12-3の左右両側に垂直杆部2-2の前述間隔にて溶接等により垂設される垂下杆部12-4とで構成する。
【００２７】
而して、袋載せ台２のコの字形型材からなる垂直杆部2-2を、角パイプからなる垂下杆部12-4に外装せしめた状態で垂直杆部2-2の上端を垂下杆部12-4にピン13止めにて連結支持させることで、袋載せ台２の垂直杆部2-2に回動支持部12を備え、その後に、回動支持部12の回動支軸12-2を、昇降枠３前面の支持パイプ12-1に貫通状に連結支持させることで、袋載せ台２は昇降枠３の前面に正面向きから左向き、右向きへ向きを変える首振り回動自在に装着されるものである。
【００２８】
図中15は方向変換機構であり、昇降枠３に首振り回動自在に装着される袋載せ台２の向きを、図１〜図３に示すように、少なくとも下降限においては正面向きと成し、そして、図７及び図８に示すように、上昇停止位置においては左右何れか一方向の向きと成すように切り換える役目を成す。
この方向変換機構15は、支柱1-2の内側高さ方向に備えられる切換え手段16と、この切換え手段16と袋載せ台２とを連繋する連繋手段17とで構成され、昇降枠３が下降限から上昇するに際して、その上昇に伴い連繋手段17の後述する誘導輪17-1が切換え手段16の後述する下降限レール16-1から切換えレール16-2を通り、この切換えレール16-2の前後回動操作（切換え操作）によってそれに連動して前後方向に略平行移動する上昇誘導レール16-3に沿って転動する動きを成すことで、袋載せ台２の向きが正面維持又は左右の何れか一方向の向きに切り換えられるようにしてある。
【００２９】
切換え手段16は、袋載せ台２の昇降下降限となる支柱１の下部側においてその前後幅方向中央に垂直に配設される下降限レール16-1と、この下降限レール16-1の上端開口に下端開口が常時連絡するように同下端側を支柱１に軸着せしめると共に、同軸着部Ｐを回動支点として上端開口側が支柱１の前後幅方向に回動するように配設される切換えレール16-2と、この切換えレール16-2の上端開口に下端開口を回動自在に連絡枢着せしめると共に、袋載せ台２の昇降上昇限となる支柱１の上部側に向けた長さで該支柱１の前後幅方向における中央部位及びその前後部位へと略平行動自在に配設されて袋載せ台２の向きを正面向き又は左右いずれかの方向に向ける上昇誘導レール16-3とで構成されてなる。
【００３０】
下降限レール16-1、切換えレール16-2、上昇誘導レール16-3は、誘導輪15-1が係合状態で転動し得る程度の横断面略コの字形を呈する。
そして、下降限レール16-1は、支柱1-2の内面一側における下部側中央部位に適宜の高さ（長さ）にて溶接等により垂直に配設されて、袋載せ台２が下降限に降下戻される昇降枠３の動きに伴い誘導輪15-1が切換えレール16-2より誘導されて転動することで、袋載せ台２が正面向きと成すようにしてある。
【００３１】
切換えレール16-2は、昇降枠３が下降限から上昇する際には下降限レール16-1から上昇誘導レール16-3に誘導輪15-1を誘導し、一方、昇降枠３が上昇停止位置から下降する際には上昇誘導レール16-3から下降限レール16-1へと誘導輪15-1を誘導する。つまり、袋載せ台２の向きを正面向き、左向き、右向きの何れかの一方向に切り換える切換え操作部であり、下降限レール16-1の上端開口に下端開口を連させると共に、その連絡状態が常時保たれるように下端側部位を支柱1-2の内面一側に軸着せしめて、当該軸着部Ｐを回動支点とする支柱１の前後幅方向への切換え回動操作し得るように前記内面一側に配設してなる。
即ち、切換えレール16-2の上端開口を、支柱１の前後幅方向における中央部位及びその前後部位へと移動させるように軸着部Ｐを支点に回動させることで、切換えレール16-2の上端開口に下端開口が常時連絡状態にある上昇誘導レール16-3をもその動きに連動して中央部位及びその前後部位へと略平行移動するように支柱1-2の内面一側に切換えレール16-2を配設してなる。
【００３２】
上昇誘導レール16-3は、切換えレール16-1の上端開口に下端開口を、支柱1-2の前後幅方向に略円弧状に開口されている操作孔18-1から外部に突出する長さを有する枢着ピン19にて回動自在に連結せしめると共に、上端開口を同じく支柱1-2に開口されている支持孔18-2に支持ピン20にて支柱１の前後幅方向に移動自在に支持せしめ且つ２本の上下リンク21，22を介して支柱1-2の上端方向に向けて前後方向に略平行動自在に配設されものであり、昇降枠３の上昇移動により誘導輪17-1が下降限レール16-1から切換えレール16-2を通って転動（誘導）されてくることで、袋載せ台２の向きが正面向き、左向き、右向きの何れか一方向に変換されるようにしてある。
【００３３】
そして、雌螺子が施された枢着ピン19の外部突出に切換え操作ノブ23を螺合装着せしめて、該操作ノブ23を緩めることで、下端軸着部Ｐを回動支点として切換えレール16-2の上端開口側を、操作孔18-1に沿って支柱1-2の前後幅方向へ移動（回動）し得るように、そして、締め付けことで、切換えレール16-2の上端開口を支柱1-2の前後幅方向中央部位（袋載せ台２正面向き）に、又は前後部位（袋載せ台２右向き、左向き）に締着保持し得るようにしてある。
【００３４】
上下２本のリンク21,22は、切換えレール16-1を支柱1-2の前後幅方向に回動せしめた際に、同前後幅方向に上昇誘導レール16-3を略平行に移動させるべく該レール16-3を平行動自在に支持する役目を成すもので、適宜の厚さと幅を有する帯状板を用いて上昇誘導レール16-3の高さ（長さ）方向略半分程度の長さに夫々形成すると共に、その一端同志の何れか一方側に両リンク21,22の連結長さを可変し得るように長孔24を設けて一端部同士を回動自在に連結する。
そして、両リンク21,22の他端側にも長孔25,26を夫々設けて、該長孔25,26を介して上昇誘導レール16-3の上下端開口に備えた枢着ピン19と支持ピン20に夫々回動自在に連結すると共に、更に両リンク21,22の夫々の長さ方向中央部位を支柱1-2の前後幅方向中央部位に回動自在に軸着せしめることで、当該軸着部27,28を回動支点として両リンク21,22が図５〜図７に示すように、側面視垂直状態になったり、支柱1-2の幅方向後側と前側に夫々略くの字状に折れる動きを成すことで、上昇誘導レール16-3が支柱1-2の前後幅方向に略平行移動し得るようにしてある。
【００３５】
連繋手段17は、上記下降限レール16-1、切換えレール16-2、上昇誘導レール16-3に対して係脱自在に係合せしめて昇降枠３の昇降動に伴い何れかのレール16-1，16-2，16-3に沿って転動する誘導輪17-1と、昇降枠３に前後水平動自在に装着されて後端側に前記誘導輪17-1を備えると共に、前端側が袋載せ台２の回動部P1側方部位に連結させる連結杆17-2とで構成されてなる。
【００３６】
連結杆17-2は、角形軸材からなり、上記下降限レール16-1、切換えレール16-2、上昇誘導レール16-3が配設されている支柱1-2の内面一側における昇降枠３の側部に、前後方向に向けて水平に備えた角形の支持パイプ29によって前後水平動自在に装着されると共に、その前端を回動支持部12の水平杆部12-3に開口されている横長孔30にコロ31を介して連結せしめることで、後端に装着された誘導輪17-1の各レール16-1，16-2，16-3に沿って転動する動きに伴い袋載せ台２が昇降枠３に対する回動部P1を支点として正面向きから左向き又は右向きと成すように首振り回動するようにしてある。
【００３７】
図中32，33は、支柱1-2の背後壁の上下各部位に配設した検出器であり、これら各検出器32，33は不図示の制御部を介して駆動機４に接続されており、昇降枠４の背面に設けた検出部34が接触することにより駆動機４を停止させるようにしてなる。
検出器32は、袋載せ台２が下降限まで下降した際にその移動をその位置で止める下降限用であり、検出器33は穀類収納袋Ｂを載せた袋載せ台２が上昇限まで上昇した際にその移動をその位置で止める上昇限用のリミットスイッチである。
【００３８】
次に、図12に例示したように、倉庫等に保管されている穀類収納袋Ｂを、コンベヤＤを利用して搬出移送しながら車輌荷台Ｃに積み込む場合における本例昇降作業機Ａの使用の一例を説明する。
図１〜図４に示すように、下降限において正面向き状態で停止待機する袋載せ台２の載置部2-1にコンベヤＤにより倉庫等から搬出されてくる穀類収納袋Ｂを載せ変えると、載置部2-1の検出器11により駆動機４が作動し、穀類収納袋Ｂを載せた袋載せ台２は昇降枠３背後の検出部34が検出器33に接触する高さ位置まで上昇し、該検出器33に接触して停止する。
この時、図６に示すように、切換え操作ノブ23により切換えレール16-2の上端開口を支柱1-2の幅方向後部へ切換え移動させておくことで、昇降枠３の上昇に伴う誘導輪17-1の下降限レール16-1から切換えレール16-2を通り、この切換えレール16-2の切換えによって支柱1-2の幅方向後部へ平行に移動された上昇誘導レール16-3に沿って転動する動きにより、収納袋Ｂを載せた袋載せ台２は図９に示すように、昇降枠３との回動部P1を支点に右方向に回動する動きを成す。
【００３９】
従って、本例の昇降作業機Ａによれば、作業機Ａと車輌荷台Ｄとの間に生じる大きな隙間Ｌを狭め、更には同隙間Ｌを完全塞ぐように車輌荷台Ｄの上方に袋載せ台２の一部が掛かる（位置する）ように袋載せ台２は右方向に回動する首振り動作を成すことから、作業者は車輌荷台Ｄの縁に片足を掛ける等の危険を回避した安全な状態で袋載せ台２から穀類収納袋Ｂを抱き抱えて車両荷台Ｄに積み込むことが可能になる（図12参照）。
【００４０】
機枠１の台枠1-1の側部に着脱自在に備える作業台５は、金属板やその他の剛性板材を用いて少なくとも穀物収容袋Ｂを立たせた状態で載せることができる大きさ（載承面積）と、図11に二点鎖線で示すように、載せられた穀物収容袋Ｂの開口部B-1が作業者の略腰高に位置する高さを有するボックス状に形成されると共に、その一側面には台枠1-1の平行に配置されている枠材の何れか一方に着脱自在に連結する連結辺部5-1を備える。
そして、連結辺部5-1には前記枠材に開孔されている連結孔35にボルトや頭部付きピン等の止め具６を介して連結する挿通孔36が開孔されてなる。
【００４１】
而して、図11に示すように、籾摺り後において計量する計量器Ｃ側に位置する台枠1-1の一側枠材に止め具６を介して連結させて作業台５を配置することで、作業者は計量器Ｃを用いて穀類の収容量を計量しながら袋詰した後に、穀類収納袋Ｂを作業台５に移し変えることで、無理な前屈み姿勢を取ることなく、自然体に近い楽な姿勢で穀類が袋詰された穀類収納袋Ｂの開口部B-1を閉じる作業を行うことができる。
【００４２】
尚、本例の昇降作業機Ａは前述の実施例構成に限定されるものではない。例えば、切換え手段16を構成する各レール16-1，16-2，16-3の高さ（長さ）を変えたり、支柱1-2の内面一側に対する上下配設関係を変えることで、下降限において袋載せ台２の向きが左向きと成し、上昇停止位置においては左向き維持又は正面向き、右向きの何れか一方向と成すように構成したり、その逆の構成にする等、任意である。
【図面の簡単な説明】
【００４３】
【図１】本発明昇降作業機の実施形態の一例を示す一側面図で、支柱の高さを一部省略して示す
【図２】同縦断他側面図
【図３】要部を拡大して示す正面図
【図４】横断面図
【図５】図４のV−V線縦断面図で、切換え手段の下降限レールの上方延長線上に切換えレール、上昇誘導レールを位置させた袋載せ台が正面向き状態で上下動するように切換えレールを切り換えた状態を示す
【図６】同縦断面図で、切換え手段の切換えレールを支柱の幅方向後部側に回動させて袋載せ台が正面向きから左向きに首振り回動するように切り換えた状態を示す
【図７】同縦断面図で、切換え手段の切換えレールを支柱の幅方向前部側に回動させて袋載せ台が正面向きから右向きに首振り回動するように切り換えた状態を示す
【図８】袋載せ台が左向きと成した横断平面図
【図９】袋載せ台が右向きと成した横断面図
【図１０】台枠に着脱自在に備えられる作業台の実施形態の一例を示す斜視図
【図１１】同作業台の使用の一例を示す概略正面図
【図１２】本発明昇降作業機の使用の一例を示す概略正面図で、袋載せ台に載せられて持ち上げられてきた穀類収納袋を作業者が抱き抱えて車輌の荷台に積み込む状態を示す
【符号の説明】
【００４４】
１：機枠             1-1：台枠
1-2：支柱              ２：袋載せ台
2-1：載置部           2-2：垂直杆部
３：昇降枠            ４：駆動機
５：作業台            11：検出器
12：回動支持部      12-1：支持パイプ
12-2：回動支軸        12-3：水平杆部
12-4：垂下杆部          14：転動輪
15：方向変換機構      16：切換え手段
16-1：下降限レール    16-2：切換えレール
16-3：上昇誘導レール    17：連繋手段
17-1：誘導輪          17-2：連結杆
18-1：操作孔          18-2：支持孔
23：切換え操作のブ    P：軸着部
P1：回動部           Ｂ：穀類収納袋
【図１】
2005187181.tif 000003
【図２】
2005187181.tif 000004
【図３】
2005187181.tif 000005
【図４】
2005187181.tif 000006
【図５】
2005187181.tif 000007
【図６】
2005187181.tif 000008
【図７】
2005187181.tif 000009
【図８】
2005187181.tif 000010
【図９】
2005187181.tif 000011
【図１０】
2005187181.tif 000012
【図１１】
2005187181.tif 000013
【図１２】
2005187181.tif 000014